【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
プラスチック製であり、入賞口に入賞した遊技球を集合させて入賞検出器へ誘導するためのリブを備え、遊技盤の裏面に装着される遊技盤装置において、
該遊技盤装置の１辺に軟弱性の外蝶番部を設け開閉可能にした
ことを特徴とする弾球遊技機の遊技盤装置。
【請求項２】
請求項１記載の弾球遊技機の遊技盤装置において、
該遊技盤装置より小さめで、蝶番部の屈曲により開閉される開閉扉を前記遊技盤装置の略中央部に設けた
ことを特徴とする弾球遊技機の遊技盤装置。
【請求項３】
プラスチック製であり、入賞口に入賞した遊技球を集合させて入賞検出器へ誘導するためのリブを備え、遊技盤の裏面に装着される遊技盤装置において、
前記リブの内で鉛直方向に沿って設けられる立直リブの内面に前記遊技球の通過スピードを抑えるためのブレーキリブを設けた
ことを特徴とする弾球遊技機の遊技盤装置。
【請求項４】
請求項１記載の弾球遊技機の遊技盤装置において、
前記外蝶番部の左右に切欠部を設けた
ことを特徴とする弾球遊技機の遊技盤装置。
【請求項５】
プラスチック製であり、入賞口に入賞した遊技球を集合させて入賞検出器へ誘導するためのリブを備え、遊技盤の裏面に装着される遊技盤装置において、
前記入賞検出器に接続される制御ハーネスを覆い前記遊技盤装置の裏から止められるハーネスカバーを設けた
ことを特徴とする弾球遊技機の遊技盤装置。
【請求項６】
請求項５記載の弾球遊技機の遊技盤装置において、
前記制御ハーネスに設けられるコネクタも前記ハーネスカバーに覆われる
ことを特徴とする弾球遊技機の遊技盤装置。
【手続補正２】
【補正対象書類名】明細書
【補正対象項目名】０００９
【補正方法】変更
【補正の内容】
【０００９】
【課題を解決するための手段】
上記目的を達成するための請求項１記載の弾球遊技機の遊技盤装置は、プラスチック製であり、入賞口に入賞した遊技球を集合させて入賞検出器へ誘導するためのリブを備え、遊技盤の裏面に装着される遊技盤装置において、該遊技盤装置の１辺に軟弱性の外蝶番部を設け開閉可能にしたことを特徴とする。外蝶番部は、例えば遊技盤装置の上部の一辺に設けられ、弾球遊技機の製造工程において、遊技盤装置の上部をまず止着することで全体の下部が開放状態になるから、各入賞装置の電機設備の配線が容易になり、従来のように中継端子板をもうける必要がない。


【手続補正３】
【補正対象書類名】明細書
【補正対象項目名】００１０
【補正方法】変更
【補正の内容】
【００１０】
請求項２の弾球遊技機の遊技盤装置は、請求項１記載の弾球遊技機の遊技盤装置において、該遊技盤装置より小さめで、蝶番部の屈曲により開閉される開閉扉を前記遊技盤装置の略中央部に設けたことを特徴とする。遊技盤装置の略中央部に遊技盤装置より小さめで、蝶番部の屈曲により開閉される開閉扉を設けたことで、営業中のメンテナンスにおいて、ランプおよびソレノイド等の電機設備の交換または役物自体の交換が容易になった。
請求項３記載の弾球遊技機の遊技盤装置は、プラスチック製であり、入賞口に入賞した遊技球を集合させて入賞検出器へ誘導するためのリブを備え、遊技盤の裏面に装着される遊技盤装置において、前記リブの内で鉛直方向に沿って設けられる立直リブの内面に前記遊技球の通過スピードを抑えるためのブレーキリブを設けたことを特徴とする。鉛直方向に沿って設けられる立直リブにブレーキリブを設けたことで入賞球の誘導段階における落下衝撃が落下面の保護を可能となる。
請求項４記載の弾球遊技機の遊技盤装置は、請求項１記載の弾球遊技機の遊技盤装置において、前記外蝶番部の左右に切欠部を設けたことを特徴とし、遊技盤装置の取り付けときに配線をしながら作業ができるので作業性の向上が図れるようになった。
請求項５記載の弾球遊技機の遊技盤装置は、プラスチック製であり、入賞口に入賞した遊技球を集合させて入賞検出器へ誘導するためのリブを備え、遊技盤の裏面に装着される遊技盤装置において、前記入賞検出器に接続される制御ハーネスを覆い前記遊技盤装置の裏から止められるハーネスカバーを設けたことを特徴とする。遊技盤装置にハーネスカバーを設けて、弾球遊技機に対する不正行為の防止に役立つ。
請求項６記載の弾球遊技機の遊技盤装置は、請求項５記載の弾球遊技機の遊技盤装置において、前記制御ハーネスに設けられるコネクタも前記ハーネスカバーに覆われることを特徴とする。不正行為の報道によれば、数秒の間に遊技制御基盤とそのコネクタとの間に信号生成回路を設けた基盤を入れて貸し遊技球を使用しないで不正遊技をするといったことが報じられているが本発明品であれば内部にコネクタや配線を収納しているのでこの不正行為を未然に防ぐことができる。


【手続補正４】
【補正対象書類名】明細書
【補正対象項目名】００１１
【補正方法】変更
【補正の内容】
【００１１】
請求項１〜６のいずれかに記載の弾球遊技機の遊技盤装置においては、遊技盤装置に位置決ボスを設けるとともに、遊技盤に遊技盤装置を定位取り付けの定位孔を設けることができる。これにより、遊技盤の裏に遊技盤装置の取り付けは特殊な技術を必要とせず、だれでも簡単に作業が行えるようになった。遊技盤装置を遊技盤に取り付ける場合、入球口の出口と遊技盤装置の受け入れ樋との関係で遊技球の直径の１／４または３／４の単位に設定をしないと連珠結の原因となりかねない。そこで、遊技盤装置に設けられる誘導樋と入球出口との位置関係に余裕をもたせた方法が講じられるが、技術水準の向上により中央に大型表示装置が設けられるようになり、この余裕のある設定が困難となってきた。このため、いかに定位置に取り付けるかが大きな課題となってきている。この上述の課題を解決することができる。
【手続補正５】
【補正対象書類名】明細書
【補正対象項目名】００１５
【補正方法】変更
【補正の内容】
【００１５】
窓状に形成された金枠１８は、波型サッシ状に形成されており、波型の中に透明な板ガラス１９が２重に入れられている。板ガラス１９の奥に詳細を後述する遊技盤１１が収められこの遊技盤１１に点線で図示する図柄表示装置２５が設けられている。
上皿１５の前面枠１３下部には、下皿１６が取り付けられ、その下皿１６の右側に発射ハンドル１７が取り付けられている。この発射ハンドル１７の外周には、図示しない回動リングを擁していて、この回動リングを時計方向に回せば、上皿１５の遊技球を遊技盤１１に向けて発射することができる。
遊技盤１１に遊技球を発射し、発射された遊技球が遊技盤１１内を様々な挙動により詳細を図示しない各入賞口に入賞するかまたは図３に示すアウト口７２に流れ、詳細を述べない遊技機設置島の内部に取り込まれる。各入賞口に入賞すれば遊技球が賞品球として上皿１５に払い出され、さらに払い出しが続けば上皿１５に賞品球が積もって、満杯になり図示しないあふれ通路を経て下皿１６へあふれ落ちるようになっている。


【手続補正６】
【補正対象書類名】明細書
【補正対象項目名】００２３
【補正方法】変更
【補正の内容】
【００２３】
上制御線樋３９は反ビス８０で遊技盤装置３６の裏側から図示しないナットで固定され、下制御線樋４０はコネクタ自動挿入部４３で、これも遊技盤装置３６に固定されている。
図５は遊技盤１１の左側面図であり、開閉扉３７を蝶番部４５からロック装置３８を外して開放した様子を示した図である。開閉扉３７には図５の点線で示すスライドレール７０が設けてあり、遊技盤制御装置２８と図柄制御装置７４の一体化した装置をこのスライドレール７０に沿って遊技盤１１の裏から見て左側から差し込んで基盤ロックレバー４４を遊技盤１１側にたおせば固定できるようになっている（図９を参照）。
次に図６により遊技盤装置３６の裏構造の説明をする。遊技盤装置３６の裏側には、各所に立直リブ５９、指定箇所には天誘導リブ５５、７個出リブ５３および１５個出リブ５４が設けてあり入賞した遊技球を図示しない入賞検出器へ誘導するように設けられ、狭い箇所の立直リブ５９にはブレーキリブ５６が付けられている。図７がその立直リブ５９を立直頂点から見たブレーキリブ５６の設けられた様子を示した図である。